(57)【要約】      （修正有）【課題】布地への抗菌剤の改善された付着を可能にする抗菌洗濯洗剤組成物を提供する。【解決手段】組成物の約０．０５重量％〜約３重量％のジフェニルエーテルである抗菌剤と、組成物の約０．０５重量％〜約１０重量％のＣ６〜Ｃ２０アルキルジメチルアミンオキシド（ＡＯ）である両性界面活性剤と、組成物の約５重量％〜約５０重量％のＣ６〜Ｃ２０線状アルキルベンゼンスルホン酸塩（ＬＡＳ）であるアニオン性界面活性剤とを含み、ＬＡＳが組成物の主要界面活性剤として存在し、ＡＯを含むと同時にＬＡＳ含有量が高い、かかる界面活性剤系を特徴とする組成物。【選択図】なし【特許請求の範囲】
【請求項１】
抗菌洗濯洗剤組成物であって、
ａ）前記組成物の０．０５重量％〜３重量％の、ジフェニルエーテル類及びこれらの組み合わせからなる群から選択される抗菌剤と、
ｂ）前記組成物の０．０５重量％〜１０重量％の、Ｃ６〜Ｃ２０アルキルジメチルアミンオキシド（ＡＯ）及びこれらの組み合わせからなる群から選択される両性界面活性剤と、
ｃ）前記組成物の５重量％〜５０重量％の、Ｃ６〜Ｃ２０線状アルキルベンゼンスルホン酸塩（ＬＡＳ）及びこれらの組み合わせからなる群から選択されるアニオン性界面活性剤と、を含み、
前記アニオン性界面活性剤が、前記組成物の主要界面活性剤として存在する、
抗菌洗濯洗剤組成物。
【請求項２】
前記抗菌剤が、下記式（Ｉ）：
【化１】
2019073688.tif 000010
（式中、
各Ｙは、塩素、臭素、又はフッ素から独立して選択され、
各Ｚは、ＳＯ２Ｈ、ＮＯ２、又はＣ１〜Ｃ４アルキルから独立して選択され、
ｒは、０、１、２、又は３であり、
ｏは、０、１、２、又は３であり、
ｐは、０、１、又は２であり、
ｍは、１又は２であり、
ｎは、０又は１である）
のヒドロキシルジフェニルエーテルであり、
好ましくは前記抗菌剤が、４−４’−ジクロロ−２−ヒドロキシジフェニルエーテル、２，４，４’−トリクロロ−２’−ヒドロキシジフェニルエーテル、及びこれらの組み合わせからなる群から選択され、より好ましくは前記抗菌剤が、４−４’−ジクロロ−２−ヒドロキシジフェニルエーテルである、請求項１に記載の抗菌洗濯洗剤組成物。
【請求項３】
前記抗菌剤が、前記組成物の０．０５重量％〜１重量％、好ましくは０．０７重量％〜０．５重量％の範囲の量で存在する、請求項１又は２に記載の抗菌洗濯洗剤組成物。
【請求項４】
前記両性界面活性剤が、Ｃ１０〜Ｃ１６アルキルジメチルアミンオキシド及びこれらの組み合わせからなる群から選択され、好ましくは前記両性界面活性剤が、ドデシルジメチルアミンオキシド、テトラデシルジメチルアミンオキシド、及びこれらの組み合わせからなる群から選択される、請求項１〜３のいずれか一項に記載の抗菌洗濯洗剤組成物。
【請求項５】
前記両性界面活性剤が、前記組成物の０．１重量％〜５重量％、好ましくは０．２重量％〜２重量％の範囲の量で存在する、請求項１〜４のいずれか一項に記載の抗菌洗濯洗剤組成物。
【請求項６】
前記アニオン性界面活性剤が、Ｃ１０〜Ｃ１６線状アルキルベンゼンスルホン酸塩及びこれらの組み合わせからなる群から選択され、好ましくは前記アニオン性界面活性剤が、Ｃ１２〜Ｃ１４線状アルキルベンゼンスルホン酸塩及びこれらの組み合わせからなる群から選択される、請求項１〜５のいずれか一項に記載の抗菌洗濯洗剤組成物。
【請求項７】
前記アニオン性界面活性剤が、前記組成物の６重量％〜３０重量％、好ましくは８重量％〜２０重量％の範囲の量で存在し、好ましくは前記アニオン性界面活性剤が、前記組成物の過半数界面活性剤として存在する、請求項１〜６のいずれか一項に記載の抗菌洗濯洗剤組成物。
【請求項８】
ａ）前記組成物の０．０７重量％〜０．５重量％の、４−４’−ジクロロ−２−ヒドロキシジフェニルエーテルである、前記抗菌剤と、
ｂ）前記組成物の０．２重量％〜２重量％の、ドデシルジメチルアミンオキシドである、前記両性界面活性剤と、
ｃ）前記組成物の８重量％〜２０重量％の、Ｃ１２線状アルキルベンゼンスルホン酸塩である、前記アニオン性界面活性剤と、を含み、
前記アニオン性界面活性剤が、前記組成物の過半数界面活性剤として存在する、
請求項１に記載の抗菌洗濯洗剤組成物。
【請求項９】
汚れた布地を前処理又は処理する方法であって、前記汚れた布地を請求項１〜８のいずれか一項に記載の抗菌洗濯洗剤組成物と接触させることを含む、方法。
【発明の詳細な説明】
【技術分野】
【０００１】
本発明は、抗菌洗濯洗剤組成物に関する。
【背景技術】
【０００２】
消費者製品は、その本来の意図される機能に加えて、抗菌の恩恵に対する利用者ニーズに対処するために発展してきた。例えば、抗菌洗濯洗剤製品は、布地を洗濯すると同時に布地の抗菌恩恵を有するので、利用者によって所望される。現在、例えば、ジフェニルエーテル等の多種多様な抗菌剤は、抗菌効果をもたらすために消費者製品製剤で使用することが知られている。
【０００３】
しかし、洗濯洗剤製品の状況においては、布地への抗菌剤の所望される付着率を達成することが課題である。具体的には、洗浄サイクル中に、抗菌剤を含む、有効成分の大部分は、最終的に、洗浄液とともに洗い流される。洗浄された布地には、そのように、少量の抗菌剤しか付着させることができず、したがって、これらの洗濯洗剤の実際の抗菌効果は極めて制限される。それに応じて、洗濯洗剤製品においては典型的に、そのような低い付着率を補償し、もたらされる製品が所望される抗菌効果を有することを確実にするために、更に多量の抗菌剤が必要とされる。洗濯洗剤製品中の抗菌剤のそのような増量は、不可避的に、そのような製品の製造の経費及び処理の複雑さを増大させる。
【発明の概要】
【発明が解決しようとする課題】
【０００４】
このため、布地への抗菌剤の改善された付着を可能にする洗濯洗剤組成物に対する必要性が存在する。
【課題を解決するための手段】
【０００５】
本発明の驚くべきかつ予想外の発見は、洗濯洗浄剤組成物中への、比較的少量の両性界面活性剤、特にＣ６〜Ｃ２０アルキルジメチルアミンオキシド（ＡＯ）の組み込みが、洗浄された布地へのジフェニルエーテル系抗菌剤の付着率を大幅に改善させることができることである。抗菌剤の付着率のそのような改善は、主要界面活性剤としてＣ６〜Ｃ２０線状アルキルベンゼンスルホン酸塩界面活性剤を含有する界面活性剤系の採用によって更に高まる。
【０００６】
それに応じて、本発明は、一態様において、抗菌洗濯洗剤組成物であって、
ａ）組成物の約０．０５重量％〜約３重量％の、ジフェニルエーテル類及びこれらの組み合わせからなる群から選択される抗菌剤と、
ｂ）組成物の約０．０５重量％〜約１０重量％の、Ｃ６〜Ｃ２０アルキルジメチルアミンオキシド（ＡＯ）及びこれらの組み合わせからなる群から選択される両性界面活性剤と、
ｃ）組成物の約５％重量〜約５０％重量の、Ｃ６〜Ｃ２０線状アルキルベンゼンスルホン酸塩（ＬＡＳ）及びこれらの組み合わせからなる群から選択されるアニオン性界面活性剤と、を含み、かかるアニオン性界面活性剤が組成物の主要界面活性剤として存在する、抗菌洗濯洗剤組成物、に関する。
【０００７】
好ましくは、抗菌剤は、下記式（Ｉ）：
【０００８】
【化１】
2019073688.tif 000002
（式中、
各Ｙは、塩素、臭素、又はフッ素から独立して選択され、
各Ｚは、ＳＯ２Ｈ、ＮＯ２、又はＣ１〜Ｃ４アルキルから独立して選択され、
ｒは、０、１、２、又は３であり、
ｏは、０、１、２、又は３であり、
ｐは、０、１、又は２であり、
ｍは、１又は２であり、
ｎは、０又は１である）のヒドロキシルジフェニルエーテルである。
【０００９】
より好ましくは、抗菌剤は、４−４’−ジクロロ−２−ヒドロキシジフェニルエーテル、２，４，４’−トリクロロ−２’−ヒドロキシジフェニルエーテル、及びこれらの組み合わせからなる群から選択される。最も好ましくは、抗菌剤は、４−４’−ジクロロ−２−ヒドロキシジフェニルエーテルである。抗菌剤は、本発明の抗菌洗濯洗剤組成物中に、組成物の約０．０５重量％〜約１重量％、好ましくは約０．０７重量％〜約０．５重量％の範囲の量で存在することができる。
【００１０】
本発明の実践のために有用な両性界面活性剤は、Ｃ１０〜Ｃ１６アルキルジメチルアミンオキシド及びこれらの組み合わせからなる群から容易に選択することができる。好ましくは、両性界面活性剤は、ドデシルジメチルアミンオキシド、テトラデシルジメチルアミンオキシド、及びこれらの組み合わせからなる群から選択される。より好ましくは、両性界面活性剤は、ドデシルジメチルアミンオキシドである。そのような両性界面活性剤は、本発明の抗菌洗濯洗剤組成物中に、組成物の約０．１重量％〜約５重量％、好ましくは約０．２重量％〜約２重量％の範囲の量で存在することができる。
【００１１】
本発明での使用に適したアニオン性界面活性剤は、Ｃ１０〜Ｃ１６線状アルキルベンゼンスルホン酸塩及びこれらの組み合わせからなる群から選択することができる。好ましくは、かかるアニオン性界面活性剤は、Ｃ１２〜Ｃ１４線状アルキルベンゼンスルホン酸塩及びこれらの組み合わせからなる群から選択される。アニオン性界面活性剤は、本発明の抗菌洗濯洗剤組成物中に、組成物の約６重量％〜約３０重量％、好ましくは約８重量％〜約２０重量％の範囲の量で存在することができる。より好ましくは、かかるアニオン性界面活性剤は、本発明の抗菌性洗濯洗剤組成物中の過半数界面活性剤として存在する。
【００１２】
本発明の特に好ましい実施形態において、抗菌洗濯洗剤組成物は、
ａ）組成物の約０．０７重量％〜約０．５重量％の、４−４’−ジクロロ−２−ヒドロキシジフェニルエーテルである、抗菌剤と、
ｂ）組成物の約０．２重量％〜約２重量％の、ドデシルジメチルアミンオキシドである、両性界面活性剤と、
ｃ）組成物の約８重量％〜約２０重量％の、Ｃ１２線状アルキルベンゼンスルホン酸塩である、アニオン性界面活性剤と、を含み、かかるアニオン性界面活性剤が組成物中の過半数界面活性剤として存在する。
【００１３】
別の態様において、本発明は、汚れた布地を前処理又は処理する方法に関し、該方法は、汚れた布地と上記の抗菌洗濯洗剤組成物を接触させることを含む。
【発明を実施するための形態】
【００１４】
用語の定義
本明細書で使用するとき、「ａ」及び「ａｎ」などの冠詞は、特許請求の範囲で使用されるときに、特許請求又は記載されるもののうちの１つ以上を意味するものと理解される。
【００１５】
本明細書で使用するとき、用語「含む（comprise、comprises、comprising）」、「包含する（include、includes、including）」、「含有する（contain、contains、containing）」は、非限定的である、すなわち、最終結果に影響を及ぼすことのない他の工程及び他の成分を加えることができることを意図している。上記用語には、「からなる」及び「から本質的になる」という用語が包含される。
【００１６】
本明細書で使用するとき、組成物が特定の成分を「実質的に含まない」ときとは、その組成物が、一定基準未満の量、あるいは組成物の０．１重量％未満、あるいは０．０１重量％未満、あるいは０．００１重量％の特定成分を含むことを意味する。
【００１７】
本明細書で使用するとき、用語「洗濯洗剤組成物」とは、布地を含む、汚れた材料を洗濯するための組成物を意味する。かかる組成物は、洗濯前処理、洗濯後処理として使用してもよく、あるいは洗濯動作のすすぎ又は洗浄サイクル中に加えてもよい。洗濯洗剤組成物は、液体、粉末、単相又は多相の単位用量、パウチ、錠剤、ゲル、ペースト、固形、又はフレークから選択される形態を有してもよい。好ましくは、洗濯洗剤組成物は液体である。本明細書における用語「液体洗濯洗剤組成物」は、注ぐことが可能な液体、ゲル、クリーム、及びこれらの組み合わせからなる群から選択される形態である組成物を指す。液体洗濯洗剤組成物は、水性又は非水性のいずれかであってもよく、異方性、等方性、又はこれらの組み合わせであってもよい。
【００１８】
本明細書で使用するとき、用語「抗菌剤」は、原理が意図する機能が、細菌を死滅させること、あるいは細菌の増殖又は繁殖を防止することである化合物を指す。従来の抗菌剤として、カチオン性抗菌剤（例えば、特定のアンモニウム塩化物）、非イオン性抗菌剤等が挙げられる。本発明において使用されるジフェニルエーテル化合物は、非イオン性抗菌剤である。
【００１９】
本明細書で使用するとき、用語「主要界面活性剤」は、組成物中に、かかる組成物によって含有される一切の他の界面活性剤より大きい量で存在する界面活性剤を指す。
【００２０】
本明細書で使用するとき、用語「過半数界面活性剤」は、組成物中に、かかる組成物中の合計界面活性剤含有量の少なくとも５０重量％である量で存在する界面活性剤を指す。
【００２１】
本明細書で使用するとき、用語「アルキル」は、分岐鎖又は非分岐鎖、置換又は非置換であるヒドロカルビル部分を意味する。用語「アルキル」には、アシル基のアルキル部分が含まれる。
【００２２】
本明細書で使用するとき、用語「洗浄液」は、１サイクルの洗濯洗浄のために使用される典型的な量、好ましくは、１Ｌ〜５０Ｌ、あるいは、手作業で洗浄する場合には１Ｌ〜２０Ｌ、機械で洗浄する場合には２０Ｌ〜５０Ｌの水溶液を指す。
【００２３】
本明細書で使用するとき、用語「汚れた布地」は、非特定的に使用され、木綿、亜麻布、ウール、ポリエステル、ナイロン、絹、アクリル、及びこれらに類するもの等などであるがこれらに限定されない、天然繊維、人工繊維、及び合成繊維、並びに様々な混合及び組み合わせを含む、任意の種類の天然繊維又は人工繊維を指す場合がある。
【００２４】
抗菌洗濯洗剤組成物
本発明の抗菌洗濯洗剤組成物は、両性界面活性剤（好ましくはＡＯ）とアニオン性界面活性剤（好ましくはＬＡＳ）とを含む、特定の界面活性剤系のジフェニルエーテルの抗菌剤を含み、アニオン性界面活性剤は、かかる組成中に、好ましくは主要界面活性剤として、より好ましくは過半数界面活性剤として存在する。驚くべきことに、ＡＯを含むと同時に、特にＬＡＳの含有量も比較的高い、かかる特定の界面活性剤系を利用することによって、処理された布地上への抗菌剤の付着率が大幅に向上することが見出された。
【００２５】
好ましくは、洗濯洗剤組成物中に、抗菌剤は、組成物の約０．０５重量％〜約３重量％、より好ましくは約０．０５重量％〜約１重量％、最も好ましくは約０．０７重量％〜約０．５重量％存在する。両性ＡＯ界面活性剤は、組成物中に、好ましくは組成物の約０．０５重量％〜約１０重量％、より好ましくは約０．１重量％〜約５重量％、最も好ましくは約０．２重量％〜約２重量％の範囲の量で存在する。アニオン性ＬＡＳ界面活性剤は、組成物中に、好ましくは組成物の約５重量％〜約５０重量％、より好ましくは約６重量％〜約３０重量％、最も好ましくは約８重量％〜約２０重量％の範囲の量で存在する。その上に、アニオン性ＬＡＳ界面活性剤は、組成物の主要界面活性剤として、又は好ましくは組成物の過半数界面活性剤として、例えば、組成物の総界面活性剤含有量の約４０重量％以上、好ましくは約５０重量％以上、より好ましくは約５５重量％以上、最も好ましくは６０重量％以上から、約９９重量％以下、好ましくは約９５重量％以下、より好ましくは約９０重量％以下までで存在する。
【００２６】
洗濯洗浄液中、洗濯洗剤組成物は、好ましくは約０．０１ｐｐｍ〜約５ｐｐｍ、より好ましくは約０．０５ｐｐｍ〜約３ｐｐｍ、より好ましくは０．１ｐｐｍ〜約１ｐｐｍの濃度で、抗菌剤を送達することができる。
【００２７】
本明細書の洗濯洗剤組成物は、グラム陽性細菌（例えば、黄色ブドウ球菌）及びグラム陰性菌（例えば、クレブシエラ・ニューモニエ）の両方に対する抗菌恩恵を提供する。組成物は、好ましくは、組成物によって処理された布地に対して抗菌恩恵を提供し、すなわちその中の非イオン性抗菌剤が洗浄サイクル中に布地上に付着し、その後、付着（すなわち、残留）した抗菌剤が乾燥中又は保存中又は着用中に布地上への細菌増殖を防止する。一実施形態において、洗濯洗浄剤組成物は、処理された布地と未処理の布地を比較して、グラム陰性菌及びグラム陽性菌の両方に対して、静菌活性値の少なくとも２．２の対数減少値、好ましくは２．５の対数減少値を提供する。好ましくは、組成物は、ＪＩＳＬ１９０２法（以下に記載）により決定されるように、１０５５ｐｐｍの水溶液中で１０分間接触後に、黄色ブドウ球菌及び／又はクレブシエラ・ニューモニエに対して、少なくとも２．２の対数減少値、好ましくは２．５の対数減少値を提供する。より好ましくは、組成物は、黄色ブドウ球菌に対して、少なくとも３．０の対数減少値の、好ましくは３．５の対数減少値を提供する。特筆すべき点として、黄色ブドウ球菌はヒトの皮膚で頻繁に検出され、したがって、布地（特に着用中の布地）は、黄色ブドウ球菌に対する抗菌効果を特に必要とする。
【００２８】
本明細書の洗濯洗剤組成物は、組成物中に組み込まれる成分に応じて、酸性又はアルカリ性又はｐＨ中性であってもよい。洗濯洗剤組成物のｐＨ範囲は、好ましくは約４〜約１２、より好ましくは約６〜約１１、更により好ましくは約７〜約１０である。
【００２９】
洗濯洗剤組成物は、配合された成分及び組成物の目的などの要因に応じて、任意の好適な粘度を有し得る。一実施形態では、組成物は、２０／ｓｅｃのせん断速度及び２１℃の温度下で、約２００〜約３，０００ｃＰ、あるいは約３００〜約２，０００ｃＰ、あるいは約５００〜約１，０００ｃＰの高せん断粘度を有し、１／ｓｅｃのせん断速度及び２１℃の温度下で、約５００〜約１００，０００ｃＰ、あるいは約１０００〜約１０，０００ｃＰ、あるいは約１，５００〜約５，０００ｃＰの低せん断粘度を有する。
【００３０】
ジフェニルエーテル系抗菌剤
本発明のジフェニルエーテル系抗菌剤は、非イオン性化合物である。本発明において、本発明の抗菌剤は、その非イオン性の性質のため、安定した液体抗菌洗濯洗剤組成物を可能にさせることが見出された。対照的に、カチオン性抗菌剤は、典型的には、洗濯洗剤組成物中に存在するアニオン性界面活性剤と非相溶性である。
【００３１】
好ましくは、抗菌剤は、ヒドロキシルジフェニルエーテルである。本明細書の抗菌剤は、ハロゲン化又は非ハロゲン化のいずれかであり得るが、好ましくはハロゲン化である。一実施形態において、抗菌剤は、下記式（Ｉ）：
【００３２】
【化２】
2019073688.tif 000003
（式中、
各Ｙは、塩素、臭素、又はフッ素から独立して選択され、好ましくは塩素又は臭素、より好ましくは塩素であり、
各Ｚは、ＳＯ２Ｈ、ＮＯ２、又はＣ１〜Ｃ４アルキルから独立して選択され、
ｒは、０、１、２、又は３であり、好ましくは１又は２であり、
ｏは、０、１、２、又は３であり、好ましくは０、１又は２であり、
ｐは、０、１、又は２であり、好ましくは０であり、
ｍは、１又は２であり、好ましくは１であり、
ｎは、０又は１であり、好ましくは０である）で示されるヒドロキシルジフェニルエーテルである。
【００３３】
上記の式（Ｉ）の定義において、０は無を意味する。例えば、ｐが０の場合、ｚは式（Ｉ）に存在しない。各Ｙ及び各Ｚは、同一であり得る又は異なり得る。一実施形態において、０は１、ｒは２、Ｙは塩素又は臭素である。この実施形態では、１つの塩素原子がベンゼン環に結合すると同時に臭素原子及び他の塩素原子が他のベンゼン環に結合する、あるいは、臭素原子がベンゼン環に結合すると同時に２つの塩素原子が他のベンゼン環に結合する、ことがあり得る。
【００３４】
より好ましくは、抗菌剤は、４−４’−ジクロロ−２−ヒドロキシジフェニルエーテル（「ジクロサン」）、２，４，４’−トリクロロ−２’−ヒドロキシジフェニルエーテル（「トリクロサン」）、及びこれらの組み合わせからなる群から選択される。最も好ましくは、抗菌剤は、商標名Ｔｉｎｏｓａｎ（登録商標）ＨＰ１００の下で、ＢＡＳＦから市販されている、４−４’−ジクロロ−２−ヒドロキシジフェニルエーテルである。
【００３５】
ジフェニルエーテルに加えて、製剤の不安定化を招く濃度で存在しないことを条件に、他の抗菌剤も存在してもよい。その中でも、有用な更なる抗菌剤はキレート剤であり、特に、硬水中のグラム陰性微生物の耐性を低減させる上で有用である。酸性殺生物剤も存在してもよい。
【００３６】
両性界面活性剤（ＡＯ）
本発明での使用に好適な両性界面活性剤は、Ｃ６〜Ｃ２０アルキルジメチルアミンオキシド（ＡＯ）及びこれらの組み合わせからなる群から選択することができる。
【００３７】
好ましくは、アミンオキシド系界面活性剤は、以下の構造を特徴とする。
【００３８】
【化３】
2019073688.tif 000004
（式中、Ｒ１はＣ６〜２０アルキル、Ｃ６〜２０ヒドロキシアルキル、又はＣ６〜２０アルキルフェニル基であり、各Ｒ２はＣ２〜５アルキレン、又はＣ２〜５ヒドロキシアルキレン基であり、ｘは０〜約３であり、各Ｒ３はＣ１〜３アルキル、Ｃ１〜３ヒドロキシアルキル、又は約１〜約３個のエトキシレン（ＥＯ）単位を含むポリエチレンオキシドである。）好ましくは、アミンオキシド系界面活性剤は、Ｃ８〜１８アルキルジメチルアミンオキシド、好ましくは、Ｃ１０〜１６アルキルジメチルアミンオキシドであってもよい。
【００３９】
好ましくは、両性界面活性剤は、ドデシルジメチルアミンオキシド、テトラデシルジメチルアミンオキシド、及びこれらの組み合わせからなる群から選択される。より好ましくは、両性界面活性剤は、以下の式（ＩＩ）を有するドデシルジメチルアミンオキシドを含有する。
【００４０】
【化４】
2019073688.tif 000005
【００４１】
そのような化合物は、ラウリルジメチルアミンオキシド又はドデシルジメチルアミン−Ｎ−オキシド（ＤＤＡＯ）とも呼ばれる。商標名Ｏｘａｍｉｎ（登録商標）ＬＯの下でＨｕｎｔｓｍａｎから市販されている。
【００４２】
本発明の驚くべきかつ予想外の発見は、洗濯洗剤組成物中の、例えば、約０．０５％〜約１０％、又は約０．１％〜約５％、又は約０．２％〜約２％の比較的少量のＡＯ界面活性剤が、洗浄された布地へのジフェニルエーテル抗菌剤の付着率を大幅に改善することができることである。一切の理論に拘束されることなく、ＡＯ界面活性剤は、本発明の洗濯洗浄剤組成物によって形成される洗浄液中のミセル構造を改変することができ、それによって、布地へのジフェニルエーテル抗菌剤のより深い浸透を推進し、洗浄された布地へのかかる抗菌剤の全体的な付着率を改善すると考えられる。
【００４３】
アニオン性界面活性剤（ＬＡＳ）
Ｃ６〜Ｃ２０線状アルキルベンゼンスルホン酸塩界面活性剤（ＬＡＳ）は、本発明の洗濯洗剤組成物のために必要な界面活性剤である。一実施形態において、ＬＡＳは、Ｃ１０〜Ｃ１６ＬＡＳ、好ましくは、Ｃ１２〜Ｃ１４ＬＡＳである。
【００４４】
ＬＡＳは、通常、アルキルベンゼンのスルホン化（ＳＯ２又はＳＯ３を使用する）に続いて、中和反応によって調製される。好適なアルキルベンゼンの供給原料は、硫黄及びＨＦベースの処理を含む、任意の好適なアルキル化スキームを使用して、オレフィン、パラフィン、又はこれらの混合物から作製することができる。的確にアルキル化触媒を変えることにより、ベンゼンの脂肪族炭化水素鎖への共有結合の位置を広く変えることが可能である。したがって、本明細書のＬＡＳは、２−フェニル異性体及び／又は内部異性体含有量が広く変動し得る。
【００４５】
洗濯洗剤組成物において、ＬＡＳの濃度は、かかる組成物により含有される任意の他の界面活性剤の濃度より高いことが好ましく、すなわち、ＬＡＳは、かかる組成物中の主要界面活性剤である。より好ましくは、ＬＡＳは、かかる組成物の総界面活性剤含有量の少なくとも５０重量％又は少なくとも約５５重量％である量で存在する。かかるＬＡＳ豊富又はＬＡＳ優勢の界面活性剤系は、以下に検討するように、Ｃ６〜Ｃ２０アルキルアルコキシ硫酸塩（ＡＥｘＳ）及び非イオン性界面活性剤等の他の界面活性剤が豊富又は優勢な他の界面活性剤系と比較して、洗浄された布地上へのジフェニルエーテル抗菌剤の付着を更に高める。
【００４６】
他の界面活性剤
上記の両性界面活性剤及びＬＡＳ界面活性剤に加えて、本発明の洗濯洗剤組成物は、他の界面活性剤のそれぞれの含有量がＬＡＳ界面活性剤の含有量より低いという条件で、他のアニオン性界面活性剤（すなわちＬＡＳ以外）、非イオン性界面活性剤、他の両性界面活性剤（すなわち、ＡＯ以外）、カチオン性界面活性剤、及び双性イオン界面活性剤等、１つ以上の他の界面活性剤を含んでもよい。好ましくは、他の全ての界面活性剤の総含有量は、ＬＡＳ界面活性剤の含有量より低い。
【００４７】
例えば、洗濯洗剤組成物は、Ｃ６〜Ｃ２０アルキルアルコキシ硫酸塩（ＡＥｘＳ）（式中、ｘは、約１〜３０、好ましくは約１〜１５、より好ましくは約１〜１０、最も好ましくは、ｘは約１〜３である）を含有してもよい。かかるＡＥｘＳ中のアルキル鎖は、直鎖状又は分岐状であってもよく、中鎖分岐型ＡＥｘＳ界面活性剤が特に好ましい。好ましい群のＡＥｘＳとして、ｘが約１〜３である、Ｃ１２〜Ｃ１４アルキルアルコキシ硫酸塩が挙げられる。本発明の洗濯洗剤組成物中のＡＥｘＳ界面活性剤の量は、組成物の約０．０５重量％〜約３０重量％、好ましくは約０．１重量％〜約２０重量％、より好ましくは約０．５重量％〜約１５重量％、最も好ましくは約１重量％〜約５重量％の範囲であってもよい。一切の理論に拘束されることなく、これより高い濃度のＡＥｘＳは、洗浄された布地上への抗菌剤の付着を促進しない可能性があり、実際に悪影響を及ぼす可能性があると考えられるので、本発明の洗濯洗剤組成物中のＡＥｘＳ含有量は比較的低く保つことが望ましい。
【００４８】
洗濯洗剤組成物は、アルコキシル化非イオン性界面活性剤を含有してもよい。本明細書での使用に好適なアルコキシ化非イオン性界面活性剤の非限定的な例として、Ｓｈｅｌｌから入手可能なＮｅｏｄｏｌ（登録商標）非イオン性界面活性剤などのＣ１２〜Ｃ１８アルキルエトキシレート；Ｃ６〜Ｃ１２アルキルフェノールアルコキシレート（アルコキシレート単位はエチレンオキシ単位とプロピレンオキシ単位の混合物である）；ＢＡＳＦから入手可能なＰｌｕｒｏｎｉｃ（登録商標）などのエチレンオキシド／プロピレンオキシドブロックアルキルポリアミンエトキシレートとのＣ１２〜Ｃ１８アルコール及びＣ６〜Ｃ１２アルキルフェノール縮合物；Ｃ１４〜Ｃ２２中鎖分岐アルキルアルコキシレート（ＢＡＥｘ、式中、ｘは約１〜約３０である）；アルキル多糖類、具体的にはアルキルポリグリコシド；ポリヒドロキシ脂肪酸アミド；及びエーテルキャップ化ポリ（オキシアルキル化）アルコール界面活性剤が挙げられる。また、本明細書の非イオン性界面活性剤として、アルコキシ化エステル界面活性剤、例えば、式Ｒ１Ｃ（Ｏ）Ｏ（Ｒ２）ｎＲ３（式中、Ｒ１は、直鎖状及び分枝状Ｃ６〜Ｃ２２アルキル又はアルキレン部分から選択され、Ｒ２は、Ｃ２Ｈ４及びＣ３Ｈ６部分から選択され、Ｒ３は、Ｈ、ＣＨ３、Ｃ２Ｈ５、及びＣ３Ｈ７部分から選択され、ｎは、約１〜約２０の値を有する）を有するアルコキシ化エステル界面活性剤も有用である。そのようなアルコキシ化エステル界面活性剤として、脂肪メチルエステルエトキシレート（ＭＥＥ）が挙げられ、当該技術分野において周知である。
【００４９】
特定の実施形態において、本発明の洗濯洗剤組成物によって含有されるアルコキシ化非イオン性界面活性剤は、Ｃ６〜Ｃ２０アルコキシ化アルコール、好ましくはＣ８〜Ｃ１８アルコキシ化アルコール、より好ましくはＣ１０〜Ｃ１６アルコキシ化アルコールである。Ｃ６〜Ｃ２０アルコキシ化アルコールは、約１〜約５０、好ましくは約３〜約３０、より好ましくは約５〜約２０、更により好ましくは約５〜約９の平均アルコキシ化度のアルキルアルコキシ化アルコールであることが好ましい。本明細書のアルコキシ化は、エトキシ化、プロポキシ化、又はこれらの混合物であってよいが、好ましくはエトキシ化である。一実施形態では、アルコキシ化非イオン性界面活性剤は、Ｃ６〜Ｃ２０エトキシ化アルコール、好ましくは平均約５〜約２０モルのエチレンオキシドでエトキシ化されたＣ８〜Ｃ１８アルコール、より好ましくは平均約５〜約９モルのエチレンオキシドでエトキシ化されたＣ１０〜Ｃ１６アルコールである。最も好ましいアルコキシ化非イオン性界面活性剤は、平均約７モルのエチレンオキシドでエトキシ化されたＣ１２〜Ｃ１５アルコール（例えばＳｈｅｌｌから市販されているＮｅｏｄｏｌ（登録商標）２５−７）である。
【００５０】
本発明の洗濯洗剤成物中の非イオン性界面活性剤の量は、組成物の約０．１重量％〜約３０重量％、好ましくは約０．５重量％〜約２５重量％、より好ましくは約１重量％〜約２０重量％、最も好ましくは約５重量％〜約１０重量％の範囲であってもよい。
【００５１】
非常に好ましい実施形態では、本発明の抗菌洗濯洗剤組成物は、
１）組成物の約０．０７重量％〜約０．５重量％の、４−４’−ジクロロ−２−ヒドロキシジフェニルエーテルである、抗菌剤と、
２）組成物の約０．２重量％〜約２重量％の、ドデシルジメチルアミンオキシドである、両性界面活性剤と、
３）組成物の約８重量％〜約２０重量％の、Ｃ１２〜Ｃ１４ＬＡＳであり、かかる組成物ＬＡＳの過半数要界面活性剤として存在する、アニオン性界面活性剤と、
４）組成物の約１重量％〜約５重量％の、ｘが約１〜３のＣ１２〜Ｃ１４ＡＥｘＳである、アニオン性界面活性剤と、
５）組成物の約５重量％〜約１０重量％の、平均約７モルのエチレンオキシドでエトキシ化されたＣ１２〜Ｃ１５アルコールである、非イオン性界面活性剤（ＮＩ）と、を含む。
【００５２】
この実施形態では、ＬＡＳとＡＥｘＳとの重量比は、少なくとも２：１、好ましくは少なくとも３：１、より好ましくは少なくとも５：１、最も好ましくは少なくとも７：１であることが好ましい。ＬＡＳとＮＩとの重量比は、少なくとも１．２５：１、好ましくは少なくとも１．５：１、より好ましくは少なくとも１．６：１であってもよい。
【００５３】
本発明の洗濯洗剤組成物は、カチオン性界面活性剤を更に含んでもよい。カチオン性界面活性剤の非限定的な例として、第四級アンモニウム塩界面活性剤（最高２６個の炭素原子を有することができ、アルコキシル化四級アンモニウム（ＡＱＡ）界面活性剤を含む）、ジメチルヒドロキシエチル四級アンモニウム、ジメチルヒドロキシエチルラウリルアンモニウムクロリド、ポリアミンカチオン性界面活性剤、及びアミン界面活性剤（具体的には、アミドプロピルジメチルアミン（ＡＰＡ））が挙げられる。
【００５４】
本発明の洗濯洗剤組成物は、別の両性界面活性剤（すなわち、ＡＯ以外）を更に含んでもよい。他の両性界面活性剤の非限定例として、第二級及び第三級アミンの誘導体、複素環式第二級及び第三級アミンの誘導体、又は第四級アンモニウム、第四級ホスホニウム若しくは第三級スルホニウム化合物の誘導体が挙げられる。好ましい例としては、アルキルジメチルベタイン及びココジメチルアミドプロピルベタイン、スルホ及びヒドロキシベタイン（アルキル基がＣ８〜Ｃ１８又はＣ１０〜Ｃ１４であり得る、Ｎ−アルキル−Ｎ，Ｎ−ジメチルアミノ−１−プロパンスルホネート等）を含む、ベタインが挙げられる。
【００５５】
補助成分
本明細書に記載の洗濯洗剤組成物は、補助成分を含んでもよい。好適な補助物質として、ビルダー、キレート剤、レオロジー改変剤、移染防止剤、分散剤、酵素及び酵素安定剤、触媒物質、漂白活性化剤、過酸化水素、過酸化水素源、予備形成済み過酸、ポリマー分散剤、粘土汚れ除去／再付着防止剤、増白剤、泡抑制剤、染料、光漂白成分、香料、香料マイクロカプセル、構造伸縮性付与剤、柔軟仕上げ剤、担体、屈水性誘発物質、加工助剤、溶媒、色調剤、構造化剤、及び／又は顔料が挙げられるが、これらに限定されない。洗濯洗剤組成物中のこれら補助成分の正確な性質及びその濃度は、組成物の物理的形状、及び組成物が使用される洗濯動作の性質に依存する。
【００５６】
一実施形態では、本明細書の組成物は、ある種の微粒子成分を懸濁及び安定化し、包装組立により適するように組成物の粘度を調整するために機能する、レオロジー改変剤（特定の状況では「構造化剤」と呼ばれることもある）を含む。本明細書のレオロジー改変剤は、液体組成物に微粒子を懸濁すること、及び／又はレオロジーを調整することができる、任意の既知の成分であり得る。好ましくは、レオロジー改変剤は、ヒドロキシ含有結晶物質、ポリアクリレート、多糖、ポリカルボキシレート、アルカリ金属塩、アルカリ土類金属塩、アンモニウム塩、アルカノールアンモニウム塩、Ｃ１２〜Ｃ２０脂肪族アルコール、ジベンジリデンポリオールアセタール誘導体（ＤＢＰＡ）、没食子酸ジアミド、メタクリルアミドに由来する第１の構造単位及びジアリルジメチルアンモニウムクロリドに由来する第２の構造単位を含むカチオン性ポリマー、及びこれらの組み合わせからなる群から選択される。好ましくは、レオロジー改変剤は、ヒマシ油及びヒマシ油誘導体などの、ヒドロキシ含有結晶質材料（概して結晶質であることを特徴とする）、ヒドロキシル含有脂肪酸、脂肪族エステル、及び脂肪族ワックスである。より好ましいレオロジー改変剤は、水添ヒマシ油（ＨＣＯ）である。
【００５７】
組成物の調製
本発明の洗濯洗剤組成物は、概して、洗濯洗剤組成物の製造の技術分野において既知である従来法によって調製される。かかる方法は、典型的には、加熱、冷却、真空の適用などをするか又はすることなく、必須成分及び任意成分を任意の所望の順序で比較的均一な状態まで混合することと、それによって、成分を必要濃度で含有する洗濯洗剤組成物を提供することとを含む。
【００５８】
使用方法
本発明の別の態様は、抗菌恩恵を加えて布地を処理するために、洗濯洗剤組成物を使用する方法に関する。方法は、洗浄液を形成するために、水を含んでいる洗濯洗浄槽内に５ｇ〜１２０ｇの上記の洗濯洗剤組成物を投与する工程を含む。本明細書の洗濯洗浄槽内の洗浄液は、好ましくは、１Ｌ〜５０Ｌ、あるいは、手作業で洗浄する場合は１Ｌ〜２０Ｌ、機械で洗浄する場合は２０Ｌ〜５０Ｌの容量を有する。好ましくは、本明細書の抗菌恩恵は、ＪＩＳＬ１９０２法によって決定される。洗濯洗浄液の温度は、好ましくは、５℃〜６０℃の範囲である。
【００５９】
本明細書の方法における投与量は、洗浄タイプに応じて異なってもよい。一実施形態では、方法は、約５ｇ〜約６０ｇの洗濯洗剤組成物を手作業の洗浄槽（例えば、約２〜４Ｌ）に投与することを含む。代替の実施形態では、方法は、約５ｇ〜約１００ｇ、好ましくは約１０ｇ〜約６５ｇの洗濯洗剤組成物を洗濯機（例えば、約３０〜４５Ｌ）に投与することを含む。
【００６０】
好ましくは、本明細書の方法は、汚れた布地を洗浄液に接触させる工程を更に含む。例えば、グラム陽性菌及び／又はグラム陰性菌が布地上に存在することが疑われる。汚れた布地を洗浄液に接触させる工程は、好ましくは、洗濯洗浄槽に洗濯洗剤組成物を投与する工程の後である。方法は、洗濯洗浄層内に洗濯洗剤組成物を投与する工程の前に、布地を洗濯洗剤組成物に接触させる工程を更に含んでもよく、すなわち、一定時間、好ましくは１分間〜１０分間、布地を洗濯洗剤組成物で前処理する。
【００６１】
試験方法
試験１：抗菌剤の布地付着試験
抗菌剤は、以下に記載のメタノールベースの加速溶媒抽出（ＡＳＥ）法を使用することによって、処理された布地から抽出される。次に、得られた抽出物をＣ１８カラム上で勾配逆相高速液体クロマトグラフ（ＨＰＬＣ）分離にかけ、ネガティブモードで多重反応モニタリング（ＭＲＭ）条件下で作動するタンデム質量分析計（ＭＳ／ＭＳ）により定量する。
【００６２】
第１の工程として、処理した布地を約３グラム正確に計量してから、次いで、鋼製ＡＳＥチューブに充填する。抽出プロトコルは、約１００℃の高温で、約１３，７９０ｋＰａ（１平方インチあたり２０００ポンド（ｐｓｉ））の圧力で、抽出溶媒としてメタノールを使用して約４分間、実行する。得られた抽出物を集め、２５ｍＬのフラスコに移し、その後、メタノールで充填量まで充填する。得られた溶液は次いで、５０：５０の比率での水とメタノールの混合物を使用して約２５倍に希釈し、その後のＬＣ−ＭＳ／ＭＳ分析の注入試料として使用する。
【００６３】
次に、上記注入試料の約５μｌを注入し、Ｗａｔｅｒ  ＡＣＱＵＩＴＹ  ＵＰＬＣ  Ｃ１８カラム上で、約７０％移動相Ａ（１％ギ酸溶液）／３０％移動相Ｂ（メタノール中０．１％ギ酸）〜５％移動相Ａ／９５％移動相Ｂの勾配で約３分間分離し、最終勾配は更に３分間保つ。抗菌剤、例えば、Ｔｉｎｏｓａｎ（登録商標）ＨＰ１００は、ネガティブＭＲＭモードで検出される。ｍ／ｚが２５３＞１４２のイオン対は、定量移行として使用され、２５３＞１２５のｍ／ｚは同定のために使用される。
【００６４】
続いて、校正曲線の作成のために、０．５ｍｇ／ｍＬ〜５００ｎｇ／ｍＬの範囲のスパイクしたマトリックス標準物質を注入する。注入試料中の抗菌剤、例えばＴｉｎｏｓａｎ（登録商標）ＨＰ１００の濃度は、校正曲線の重み付き（１／ｘ２）二次回帰を使用する外挿によって求められる。
【００６５】
試験２：抗菌効力試験（ＪＩＳＬ  １９０２）
洗濯洗剤組成物の抗菌効力は、ＪＩＳＬ１９０２法に定義された後述の方法によって決定する。
【００６６】
１．微生物の調製：
Ａ．黄色ブドウ球菌又はクレブシエラ・ニューモニエの凍結乾燥培養物中に一定量の栄養ブロスを無菌的に添加する。栄養ブロス中に培養物を溶解し、懸濁して懸濁液を得る。懸濁液のループを栄養寒天プレート上に画線し、３７℃で２４時間インキュベートして、細菌懸濁液の第１世代継代培養を得る。細菌懸濁液の第１世代継代培養のループを２０ｍＬの栄養ブロスに振盪しながら移し、３７℃で２４時間インキュベートして、細菌懸濁液の第２世代継代培養を得る。細菌懸濁液の第２世代継代培養の０．４ｍＬを別の２０ｍＬの栄養ブロスに振盪しながら移し、３７℃で３±１時間インキュベートして、細菌懸濁液の第３世代継代培養を得る。
Ｂ．細菌懸濁液の第３世代継代培養を１／２０希釈栄養ブロスによって１×１０５細胞／ｍＬに希釈して、作業用培養物を得る。
Ｃ．作業用培養物は４℃で保存する。作業用培養物は、一晩保存することはできない。
【００６７】
２．布地の洗浄：
Ａ．各々が１ｍの幅及び３ｍの長さを有する２つの布地片（３２ヤーン／ｃｍ×３２ヤーン／ｃｍ、１００％平織綿）を５Ｌの溶液中で１時間煮沸する。溶液は、２．５ｇの非イオン性浸漬剤、２．５ｇの炭酸ナトリウム、及び５０００ｍＬの蒸留水によって調製する。非イオン性浸漬剤は、５．０ｇのアルキルフェノールエトキシレート、５ｇの炭酸ナトリウム、及び１０００ｍＬの蒸留水によって調製する。布地片は、沸騰した脱イオン水で５分間すすぐ。布地片を冷たい脱イオン水に５分間入れて、室内乾燥させる。一方の布地片は、以下の工程２Ｂ〜２Ｉの試験布片として使用し、他方の布地片は、対照として（工程２Ｂ〜２Ｉを施さない）使用する。
Ｂ．工程２Ａから得られた試験布地片の一方の端部をステンレス鋼スピンドルの水平延長部に沿った外側の位置でステンレス鋼スピンドルに固定する。ステンレス鋼スピンドルは、互いに連結された３個の水平スタンドを有する。ステンレス鋼スピンドルの３個の水平スタンドの周囲に試験布地片を十分な張力で巻き付けて、１２周巻いた布地を有する布地を巻き付けたスピンドルを得る。試験布地片の他方の端部を、１２周巻き付けた布地の外側の巻き付け部分にピンで固定する。布地が巻き付けられたスピンドルを１２１℃の加圧蒸気で１５分間滅菌する。
Ｃ．５．９０３ｇの塩化カルシウム二水和物及び２．７２１ｇの塩化マグネシウム六水和物を１００ｍＬの蒸留水に溶解し、次いでこの混合物を１２１℃の加圧蒸気で２０分間滅菌する。１ｍＬの混合物を１Ｌの蒸留水に添加して、硬水溶液を得る。
Ｄ．工程２Ｃから得られた硬水溶液１Ｌに十分な量のサンプル試料を添加して、１０５５ｐｐｍの濃度を有する溶液を得る。この溶液を磁気攪拌機で４分間混合する。２５０ｍＬの混合溶液を暴露室に分配して洗浄液を得る。暴露室を水浴中に置いて、（２５±１）℃の試験温度にする。
Ｅ．工程２Ｂから得られた、布地が巻き付けられたスピンドルを暴露室内で洗浄液中に無菌的に浸漬し、暴露室を蓋で閉じる。
Ｆ．暴露室をタンブラー上に固定する。タンブラーを１０分間回転させる。次いで、布地が巻き付けられたスピンドルを暴露室から取り出す。布地が巻き付けられたスピンドルをＨａｉｅｒ  ｉｗａｓｈ−１ｐトップロード洗濯機に入れ、２分間脱水する。
Ｇ．暴露室から洗浄液を廃棄し、次いで、２５０ｍＬの蒸留水を暴露室内に加える。脱水後の、布地が巻き付けられたスピンドルを暴露室内の新たに加えた蒸留水に浸漬する。タンブラーを３分間回転させ、２分間脱水する。
Ｈ．工程２Ｇを繰り返す。
Ｉ．布地が巻き付けられたスピンドルを暴露室から無菌的に取り出し、スピンドルから試験布地片を取り外す。試験布地片を一晩空気乾燥させる。
【００６８】
３．布地のインキュベート：
Ａ．工程２Ｉから得られた、洗浄済み試験布地片を、一辺２ｃｍの長さを有する正方形片に切断する。０．４ｇの布地片３組を以下の工程のための試料として使用する。
Ｂ．それぞれの組の試料をバイアルに入れ、次いで、試料を１２１℃の加圧蒸気で１５分間滅菌する。滅菌後、クリーンベンチ内でキャップをせずに１時間、試料を乾燥させる。
Ｃ．工程１Ｃから得られた作業用培養物の０．２ｍＬをそれぞれ乾燥させた試料に接種する。接種した試料が入ったバイアルを３７℃で１８時間インキュベートする。
Ｄ．インキュベートした試料上の生存菌を抽出し、栄養寒天に播いて、３７℃で２４〜４８時間インキュベートする。それぞれの組の試料の総コロニー形成単位（ＣＦＵ）をカウントし、３組の平均結果を得る。ＣＦＵ値ｌｏｇ１０値をＭｂとする。
Ｅ．工程３Ａ〜３Ｄにおいて、工程２Ａから得られた布地片（工程２Ｂ〜２Ｉを施されていない）を対照として使用する。ＣＦＵ値のｌｏｇ１０値をＭａとする。
【００６９】
４．静菌活性値の算出：
静菌活性値＝Ｍｂ−Ｍａ
２．０以上の静菌活性値は、許容できる抗菌効果を示し、２．５以上の静菌活性値は、良好な抗菌効果を示し、３．０以上の静菌活性値は、優れた抗菌効果を示す。２．０未満の静菌活性値は、許容できない低い抗菌効果を示す。
【実施例】
【００７０】
実施例１：ＡＯ及び高濃度ＬＡＳの両方を含有する洗濯洗剤組成物による抗菌剤の改善された布地付着を示す比較試験
以下の成分を含有する６つのサンプル液体洗濯洗剤組成物を調製する。
【００７１】
【表１】
2019073688.tif 000006
ａ  Ｔｉｎｏｓａｎ（登録商標）ＨＰ１００は、４−４’−ジクロロ−２−ヒドロキシジフェニルエーテルであり、ＢＡＳＦから入手可能である。
ｂ  Ｎｅｏｄｏｌ（登録商標）２５−７は、非イオン性界面活性剤として平均７モルのエチレンオキシドでエトキシ化されたＣ１２〜Ｃ１５アルコールであり、Ｓｈｅｌｌから入手可能である。
ｃ  ジエチレントリアミンペンタ酢酸のナトリウム塩
【００７２】
次に、上記に列挙されたサンプル洗濯洗浄剤組成物のそれぞれを使用して、以下の布地洗浄プロトコルを実行する。
Ａ．約４９リットルの逆浸透（ＲＯ）水をＨａｉｅｒ  ＴＬＡ（ＸＱＳ７５−ＢＹＤ１２２８）洗濯機に加える。
Ｂ．それぞれ約５１．７グラムのサンプル組成物を洗濯機に加える。
Ｃ．約１０ｍＬの硬度溶液を洗濯機に加える。硬度溶液は、約３ｇｐｇ（Ｃａ２＋：Ｍｇ２＋＝３：１）の硬度を有し、約２７７．２７グラムのＣａＣｌ２・２Ｈ２Ｏ及び約１２７．８グラムのＭｇＣｌ２・６Ｈ２ＯをＲＯ水に添加することによって調製して、１Ｌの原液を形成する。
Ｄ．サンプル組成物を約１分間溶解させる。
Ｅ．８片の布トレーサー（それぞれ約１０ｃｍ×１０ｃｍの綿片）を、同じ寸法の追加の綿片とともに加えて、総重量が約２．７ｋｇのバラストを形成する。
Ｆ．布地を約１５〜２５℃で、約１２分間洗浄し、続いて、水を抜いて、布地を脱水する。
Ｇ．別の４９リットルのＲＯ水を洗濯機に加えて、約３分間すすぎ、水を抜いて、布地を脱水する。
Ｈ．工程（Ｇ）を繰り返す。
Ｉ．洗浄した布トレーサー及びバラストを取り出し、約１時間機械乾燥する。
Ｊ．工程（Ａ）〜（Ｉ）を３回繰り返し、繰り返しの最後（すなわち、４回目の洗浄サイクル）では、布トレーサーは、機械乾燥ではなく、干して乾燥させる。
【００７３】
上記の布地洗浄プロトコルが完了した後、次いで、上記の布地付着試験を使用することによって、布トレーサー上に付着したＴｉｎｏｓａｎ（登録商標）ＨＰ１００の総量を測定する。各サンプル液体洗濯洗浄剤組成物の抗菌剤（ＡＢ）付着結果を次のように記録する。
【００７４】
【表２】
2019073688.tif 000007
【００７５】
サンプル液体洗濯洗剤組成物がＡＯを含有する場合、ＬＡＳ含有量が高いと、抗菌剤付着率が最も高く、サンプル液体洗濯洗剤組成物がＡＯを含有しない場合は、ＡＥＳ含有量が高いと、抗菌剤付着率が最も高い。これは、高ＬＡＳ洗濯洗剤組成物中のＡＯが、布地上への抗菌剤付着の向上において特に有効であることを示す。
【００７６】
実施例２：液体洗濯洗剤組成物の例示的配合
表３に示す以下の液体洗濯洗剤組成物は、列挙した成分を列挙した比率（重量％）で含んで作製される。
【００７７】
【表３】
2019073688.tif 000008
【００７８】
実施例３：液体洗濯洗剤組成物の例示的配合
表４に示す以下の液体洗濯洗剤組成物は、列挙した成分を列挙した比率（重量％）で含んで作製される。
【００７９】
【表４】
2019073688.tif 000009
【００８０】
実施例２及び３の液体洗濯洗剤組成物Ａ〜Ｈは、
ａ）２００ｒｐｍのせん断力を加えることによって、バッチ容器内のＮａＯＨ（加える場合）及び水の組み合わせを混合する工程と、
ｂ）クエン酸（加える場合）、ホウ酸（加える場合）、及びＣ１１〜Ｃ１３ＬＡＳをバッチ容器に加え、２００ｒｐｍのせん断力を加えることによって、混合し続ける工程と、
ｃ）工程ｂ）で得られた混合物の温度を２５℃に放冷する工程と、
ｄ）Ｃ１２〜１４ＡＥ１〜３Ｓ、Ｎａ−ＤＴＰＡ（加える場合）、Ｎｅｏｄｏｌ（登録商標）２５−７、ドデシルジメチルアミンオキシド、Ｃ１２〜Ｃ１８脂肪酸、１，２プロパンジオール（加える場合）、モノエタノールアミン（加える場合）、塩化カルシウム（加える場合）、クメンスルホン酸ナトリウム（加える場合）、シリコーンエマルション（加える場合）、ポリアクリル酸ナトリウム（加える場合）、及びＴｉｎｏｓａｎ（登録商標）ＨＰ１００をバッチ容器に加え、混合物が均一に混合されるまで、２５０ｒｐｍのせん断力を加えることによって混合し、ｐＨを８に調整する工程と、
ｅ）増白剤（加える場合）、プロテアーゼ（加える場合）、アミラーゼ（加える場合）、染料（加える場合）、及び香料油（加える場合）をバッチ容器に加え、２５０ｒｐｍのせん断力を加えることによって混合し、これによって、液体洗濯洗剤組成物を形成する工程と、によって調製され、
組成物中のそれぞれの成分は、実施例２及び３における組成物Ａ〜Ｈに関して指定された濃度で存在する。
【００８１】
本明細書に開示した寸法及び値は、記載された正確な数値に厳密に限定されるものと理解されるべきではない。むしろ、特に指示がない限り、そのような各寸法は、記載された値及びその値の周辺の機能的に同等の範囲の両方を意味するものとする。例えば「４０ｍｍ」として開示される寸法は、「約４０ｍｍ」を意味するものとする。
【００８２】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全容が本願に援用される。いかなる文献の引用をも、本明細書中で開示又は特許請求される任意の発明に対する先行技術であるとはみなされず、あるいはそれを単独で又は他の任意の参考文献（単数又は複数）と組み合わせたときに、そのような任意の発明を教示、示唆、又は開示するとはみなされない。更に、本文書における用語の任意の意味又は定義が、参照することにより本明細書に援用された文書内の同じ用語の意味又は定義と矛盾する場合、本文書におけるその用語に与えられた意味又は定義が適用されるものとする。
【００８３】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【外国語明細書】
2019073688.tif 000011
2019073688.tif 000012
2019073688.tif 000013
2019073688.tif 000014
2019073688.tif 000015
2019073688.tif 000016
2019073688.tif 000017
2019073688.tif 000018
2019073688.tif 000019
2019073688.tif 000020
2019073688.tif 000021
2019073688.tif 000022
2019073688.tif 000023
2019073688.tif 000024
2019073688.tif 000025
2019073688.tif 000026
2019073688.tif 000027
2019073688.tif 000028
2019073688.tif 000029
2019073688.tif 000030
2019073688.tif 000031
2019073688.tif 000032
2019073688.tif 000033
2019073688.tif 000034
2019073688.tif 000035
2019073688.tif 000036